(57)【要約】【課題】安全柵を乗客の身体や乗客の所持物の接触、或いは風による転倒から防止し、安全柵を容易に運搬できる安全柵転倒防止用固定器を提供する。【解決手段】安全柵１０を構成するフェンス１１の表示板６の下端に取り付けられ、表示板６の両側面に取り付けられる一組の転倒防止用重り２と、一組の転倒防止用重り２相互を接続する長方形の断面を有する重り連結用磁石と、表示板６に取付けられた第１の折り畳み用磁石４ａと、転倒防止用重りに取付けられた第２の折り畳み用磁石４ｂと、表示板６と転倒防止用重り２とを接続し、表示板６に対して転倒防止用重り２を自在に回転させる折り畳み用蝶番３と、を備え、フェンス１１に転倒防止用重り２を取付け、一組の転倒防止用重り２を重り連結用磁石５により相互に接続させることで固定させ、安全柵１０を構成するフェンス１１の重心を低下させて転倒を防止する。【選択図】図１
2009196772.tif 000002
【特許請求の範囲】
【請求項１】
工事現場に用いられる安全柵が転倒するのを防止する安全柵転倒防止用固定器において、
安全柵を構成するフェンスの両側の脚部の間に設けられた表示板の下端に取り付けられ、
表示板の両側面にそれぞれ取り付けられ、磁性を有する一組の転倒防止用重りと、
一組の転倒防止用重り相互を接続する長方形の断面を有する重り連結用磁石と、
表示板に取付けられた第１の折り畳み用磁石と、
転倒防止用重りに取付けられた第２の折り畳み用磁石と、
表示板と転倒防止用重りとを接続し、表示板に対して転倒防止用重りを自在に回転させる折り畳み用蝶番と、
を備え、
フェンスに転倒防止用重りを取付け、一組の転倒防止用重りを重り連結用磁石により相互に接続させることで固定させ、安全柵を構成するフェンスの重心を低下させて転倒を防止することを特徴とする安全柵転倒防止用固定器。
【請求項２】
工事現場に用いられる安全柵が転倒するのを防止する安全柵転倒防止用固定器において、
安全柵を構成するフェンスの両側の脚部の間に設けられた表示板の下端に取り付けられ、
表示板の両側面にそれぞれ取り付けられる一組の転倒防止用重りと、
一組の転倒防止用重り相互を接続する三角形の断面を有する重り固定片と、
表示板に設けられた第１の折り畳み用磁石と、
転倒防止用重りに取付けられた第２の折り畳み用磁石と、
表示板及び転倒防止用重りに接続し、表示板に対して各転倒防止用重りを自在に回転させる折り畳み用蝶番と、
を備え、
フェンスに転倒防止用重りを取付け、一組の転倒防止用重りを相互に八の字を形成させ、転倒防止用重り相互間に三角形の断面を有する重り固定片を挿入することで、安全柵を構成するフェンスを床面に支持させて転倒を防止することを特徴とする安全柵転倒防止用固定器。
【請求項３】
請求項２に記載の安全柵転倒防止用固定器であって、一組の転倒防止用重りは磁性を有し、重り固定片は磁石であることを特徴とする安全柵転倒防止用固定器。
【請求項４】
請求項１乃至３のいずれか１に記載の安全柵転倒防止用固定器であって、フェンスに取付けられた第１の折り畳み用磁石と、転倒防止用重りに取付けられた第２の折り畳み用磁石と、を引き付けて転倒防止用重りを折り畳むことで、収納された状態でフェンスを運搬することを特徴とする安全柵転倒防止用固定器。
【請求項５】
請求項１乃至４のいずれか１に記載の安全柵転倒防止用固定器であって、転倒防止用重りと蝶番とは接続ボルトにより固定され、転倒防止用重りは接続ボルトによりフェンスに自在に着脱されることを特徴とする安全柵転倒防止用固定器。
【請求項６】
請求項１乃至４のいずれか１に記載の安全柵転倒防止用固定器であって、フェンスの表示板と表示板の両側の蝶番とは通しボルトにより固定され、転倒防止用重りは通しボルトによりフェンスに自在に着脱されることを特徴とする安全柵転倒防止用固定器。
【発明の詳細な説明】
【技術分野】
【０００１】
本発明は、安全柵転倒防止用固定器に係り、特に、工事現場に用いられる安全柵の転倒を防止する安全柵転倒防止用固定器に関する。
【背景技術】
【０００２】
安全柵とは、通常時には乗客の移動手段に使用される、エスカレータやエレベータなどについて保守点検などが行われる際に、出入口付近において乗客に対して安全上進入してはならない範囲を明示するために用いられる柵をいう。
【０００３】
図５に、安全柵の使用時の形態の一例を斜視図で示す。安全柵１０は、相互に連結された４個或いは６個のフェンス１１を屏風状に立て掛けるのが一般的である。安全柵１０を構成する個々のフェンス１１は、フェンス連結部１５により相互に連結されて使用される。フェンス１１は、高さが約７５０ｍｍであり、幅が約６８０ｍｍである。各フェンス１１は、フェンス枠上部１３及びフェンス枠脚部１４から成るフェンス枠１２と、フェンス枠脚部１４の間に設けられた表示板６とから構成される。
【０００４】
この安全柵１０は、保守点検工事ごとに現場に運搬しなければならない。この運搬は専ら作業員によって行われる。そのため、安全柵１０の重量は極力軽くなるように設計されている。しかし、例えば、安全柵１０が地下鉄駅構内のエスカレータの保守点検時に用いられる場合、電車が走行することで発生する風により転倒する場合がある。また、乗客の身体や所持物に触れることで転倒する場合がある。そこで、運搬用には軽量の安全柵１０のままとし、現場において転倒の虞がある場合には、転倒防止用の重りを別途運搬し、現場において安全柵１０のフェンス１１に取付けられる場合がある。
【０００５】
特許文献１には、昇降機の安全柵固定装置が開示されている。ここでは、安全柵の下辺を棒状体とし、その棒状体に嵌合する溝部が取り付いた立方体状の重石体を用意して設置することが記載されている。
【０００６】
【特許文献１】特開２０００−１７８９３３号公報
【発明の開示】
【発明が解決しようとする課題】
【０００７】
上述したように、保守点検工事に用いられる安全柵は、作業員による運搬を容易にするため軽量化されている。そのため、乗客の身体や乗客の所持物の接触、或いは風などにより転倒する虞がある。この安全柵が転倒すると、乗客に対して安全上進入してはならない範囲を明示するために用いられる柵の役割を果たさなくなる。
【０００８】
また、安全柵を運搬する際に、持ち運びが容易でないと作業員の作業に負担がかかってしまう虞がある。
【０００９】
本願の目的は、かかる課題を解決し、安全柵を乗客の身体や乗客の所持物の接触、或いは風による転倒から防止し、安全柵を容易に運搬できる安全柵転倒防止用固定器を提供することである。
【課題を解決するための手段】
【００１０】
上記目的を達成するため、本発明に係る安全柵転倒防止用固定器は、工事現場に用いられる安全柵が転倒するのを防止する安全柵転倒防止用固定器において、安全柵を構成するフェンスの両側の脚部の間に設けられた表示板の下端に取り付けられ、表示板の両側面にそれぞれ取り付けられ、磁性を有する一組の転倒防止用重りと、一組の転倒防止用重り相互を接続する長方形の断面を有する重り連結用磁石と、表示板に取付けられた第１の折り畳み用磁石と、転倒防止用重りに取付けられた第２の折り畳み用磁石と、表示板と転倒防止用重りとを接続し、表示板に対して転倒防止用重りを自在に回転させる折り畳み用蝶番と、を備え、フェンスに転倒防止用重りを取付け、一組の転倒防止用重りを重り連結用磁石により相互に接続させることで固定させ、安全柵を構成するフェンスの重心を低下させて転倒を防止することを特徴とする。
【００１１】
また、本発明に係る安全柵転倒防止用固定器は、工事現場に用いられる安全柵が転倒するのを防止する安全柵転倒防止用固定器において、安全柵を構成するフェンスの両側の脚部の間に設けられた表示板の下端に取り付けられ、表示板の両側面にそれぞれ取り付けられる一組の転倒防止用重りと、一組の転倒防止用重り相互を接続する三角形の断面を有する重り固定片と、表示板に設けられた第１の折り畳み用磁石と、転倒防止用重りに取付けられた第２の折り畳み用磁石と、表示板及び転倒防止用重りに接続し、表示板に対して各転倒防止用重りを自在に回転させる折り畳み用蝶番と、を備え、フェンスに転倒防止用重りを取付け、一組の転倒防止用重りを相互に八の字を形成させ、転倒防止用重り相互間に三角形の断面を有する重り固定片を挿入することで、安全柵を構成するフェンスを床面に支持させて転倒を防止することを特徴とする。
【００１２】
また、安全柵転倒防止用固定器は、一組の転倒防止用重りが磁性を有し、重り固定片が磁石であることが好ましい。
【００１３】
また、安全柵転倒防止用固定器は、フェンスに取付けられた第１の折り畳み用磁石と、転倒防止用重りに取付けられた第２の折り畳み用磁石と、を引き付けて転倒防止用重りを折り畳むことで、収納された状態でフェンスを運搬することが好ましい。
【００１４】
また、安全柵転倒防止用固定器は、転倒防止用重りと蝶番とが接続ボルトにより固定され、転倒防止用重りは接続ボルトによりフェンスに自在に着脱されることが好ましい。
【００１５】
さらに、安全柵転倒防止用固定器は、フェンスの表示板と表示板の両側の蝶番とが通しボルトにより固定され、転倒防止用重りは通しボルトによりフェンスに自在に着脱されることが好ましい。
【発明の効果】
【００１６】
上記構成により、安全柵転倒防止用固定器は、安全柵に取付けられた転倒防止用重りを重り連結用磁石により相互に接続させることで固定させ、安全柵の重心を低下させて転倒を防止することが可能となる。
【００１７】
また、安全柵転倒防止用固定器は、安全柵に取付けられた第１の折り畳み用磁石と、転倒防止用重りに取付けられた第２の折り畳み用磁石と、を引き付けて転倒防止用重りを折り畳むことで、収納された状態で安全柵を運搬することが可能となる。
【００１８】
以上のように、本発明に係る安全柵転倒防止用固定器によれば、安全柵を乗客の身体や乗客の所持物の接触、或いは風による転倒から防止し、安全柵を容易に運搬することが可能となる。
【発明を実施するための最良の形態】
【００１９】
以下に、図面を用いて本発明に係る安全柵転倒防止用固定器の実施の形態につき、詳細に説明する。
【００２０】
図１に、安全柵転倒防止用固定器の１つの実施形態の概略構成を正面図により示す。また、図２に、図１の安全柵転倒防止用固定器のＡ−Ａ断面図を示す。さらに、図３に、図１の安全柵転倒防止用固定器の拡大した図２のＢ−Ｂ側面図を示す。安全柵１０は、相互に連結された４個或いは６個のフェンス１１から構成される。１つのフェンス１１は、フェンス枠上部１３とフェンス枠脚部１４とからなるフェンス枠１２、及び両側のフェンス枠脚部１４を連結する表示板６から構成される。安全柵転倒防止用固定器１は、この表示板６の下端に設けられ、一組の転倒防止用重り２、折り畳み用蝶番３、折り畳み用磁石４ａ，４ｂ、及び図２に示す重り連結用磁石５から構成される。
【００２１】
図２に示すように、一組の転倒防止用重り２は、表示板６の両側面にそれぞれ取り付けられる。表示板６と転倒防止用重り２とは、表示板６に対して転倒防止用重り２を自在に回転させる折り畳み用蝶番３により接続される。この転倒防止用重り２は、折り畳み用蝶番３により回転して開閉し、図２（ａ）に示す開いた状態と、図２（ｂ）に示す閉じた状態で固定される。すなわち、各転倒防止用重り２は磁性を有し、開いた状態では一組の転倒防止用重り２相互を接続する重り連結用磁石５により引き付けられ、略直列状態となって固定される。また、転倒防止用重り２は、閉じた状態では表示板６に取付けられた第１の折り畳み用磁石４ａと、転倒防止用重り２に取付けられた第２の折り畳み用磁石４ｂと、が磁力により引き付けあって固定される。各転倒防止用重り２は、磁性を有する材料、例えば鉄板などであれば良い。
【００２２】
このように、転倒防止用重り２は、開いた状態ではフェンス１１の重心を低下させ、安全柵１０の転倒を防止する。また、転倒防止用重り２は、閉じた状態ではフェンス１１に密着する。すなわち、フェンス１１に取付けられた折り畳み用磁石４ａと、転倒防止用重り２に取付けられた折り畳み用磁石４ｂと、を引き付け合わせ、転倒防止用重り２を折り畳むことができる。これにより、転倒防止用重り２を収納した状態で安全柵１０を運搬することや保管することができる。
【００２３】
図１には、１つのフェンス１１について２個の安全柵転倒防止用固定器１が取り付いているが、１つの安全柵転倒防止用固定器１を表示板６に取付けてもよい。また、図１及び図２に示すように、安全柵転倒防止用固定器１は、開いた状態で床面（ＦＬ）から離間した位置に浮かせるタイプ、又は、フェンス１１のフェンス枠脚部１４の長さを調節して床面（ＦＬ´）に接地するタイプのいずれであっても良い。前者では、フェンス１１の重心を低下させ、安全柵１０の転倒を防止する。後者では、さらに、フェンス１１が傾いた際に、安全柵転倒防止用固定器１の重り連結用磁石５の磁力による踏ん張りでその傾きが修正されるという効果が生じる。
【００２４】
図３に示すように、転倒防止用重り２と蝶番３とは接続ボルト９により固定され、転倒防止用重り２は接続ボルト９によりフェンス１１に自在に着脱される。また、フェンス１１の表示板６と表示板６の両側の蝶番３とは通しボルト８により固定され、転倒防止用重り２は通しボルト８によりフェンス１１に自在に着脱される。これらの接続ボルト９或いは通しボルト８を取り外すことで転倒防止用重り２をフェンス１１から取り外し、個別に運搬したり保管したりできる。
【００２５】
図４に、本発明に係る安全柵転倒防止用固定器の他の実施形態の概略構成を示す。この実施形態では、転倒防止用重り２を相互に八の字を形成する方向に開き、転倒防止用重り２相互間に重り固定片７を挿入することで、安全柵１０のフェンス１１を床面に支持させて転倒を防止する。
【００２６】
この固定片７は、断面が三角形である。この形状は、転倒防止用重り２が相互に八の字を形成し、転倒防止用重り２の先端部１６が接地した状態となるように決定される。また、この固定片７は磁石から成り、磁性を有する転倒防止用重り２相互を引き付けて固定するものであっても良い。
【００２７】
このように、転倒防止用重り２は、開いた状態ではフェンス１１の重心を低下させると共に、転倒防止用重り２が接地することで安全柵１０の転倒を防止する。また、転倒防止用重り２は、閉じた状態ではフェンス１１に密着する。すなわち、フェンス１１に取付けられた折り畳み用磁石４ａと、転倒防止用重り２に取付けられた折り畳み用磁石４ｂと、を引き付け合わせ、転倒防止用重り２を折り畳むことができる。これにより、転倒防止用重り２を収納した状態で安全柵１０を運搬することや保管することができる。
【００２８】
また、転倒防止用重り２と蝶番３とは接続ボルト９により固定され、転倒防止用重り２は接続ボルト９によりフェンス１１に自在に着脱される。また、フェンス１１の表示板６と表示板６の両側の蝶番３とは通しボルト８により固定され、転倒防止用重り２は通しボルト８によりフェンス１１に自在に着脱される。これらの接続ボルト９或いは通しボルト８を取り外すことで転倒防止用重り２をフェンス１１から取り外し、個別に運搬したり保管したりできる。
【図面の簡単な説明】
【００２９】
【図１】本発明に係る安全柵転倒防止用固定器の１つの実施形態の概略構成を示す正面図である。
【図２】図１の安全柵転倒防止用固定器のＡ−Ａ断面図である。
【図３】図２の安全柵転倒防止用固定器を拡大したＢ−Ｂ側面図である。
【図４】安全柵転倒防止用固定器の他の実施形態の概略構成を示す断面図である。
【図５】安全柵の使用時の形態を示す斜視図である。
【符号の説明】
【００３０】
１  安全柵転倒防止用固定器、２  転倒防止用重り、３  折り畳み用蝶番、４，４ａ，４ｂ  折り畳み用磁石、５  重り連結用磁石、６  表示板、７  重り固定片、８  通しボルト、９  接続ボルト、１０  安全柵、１１  フェンス、１２  フェンス枠、１３  フェンス枠上部、１４  フェンス枠脚部、１５  フェンス連結部、１６  先端部。
【図１】
2009196772.tif 000003
【図２】
2009196772.tif 000004
【図３】
2009196772.tif 000005
【図４】
2009196772.tif 000006
【図５】
2009196772.tif 000007